(57)【要約】      （修正有）【課題】曇点を有し加温すると凝集する温度感応性薬剤を誘引物質とする順浸透法による淡水の製造方法で、加温して凝集した温度感応性薬剤を更に効率よく分離できる方法の提供。【解決手段】被処理水１に温度感応性薬剤を水に溶解した誘引溶液４を半透膜３を介して接触させ、被処理水１中の水を半透膜３を通して誘引溶液４に移動させ、水で希釈した希釈誘引溶液５と膜濃縮水２を得る順浸透膜処理装置１０と、順浸透膜処理装置１０から流出する希釈誘引溶液５を誘引溶液５の曇点以上の温度まで加温する第一の加温手段１４と、加温した希釈誘引溶液５を、温度感応性薬剤濃度の高い下層液７と濃度の低い上層液６とに相分離する相分離槽１１と、相分離槽１１から流出する下層液７を誘引溶液４の曇点以下の温度まで冷却する冷却手段１５と、相分離槽１１から流出する上層液６を膜処理し、膜ろ過水８を得る膜ろ過装置１２とを有する水処理装置。【選択図】図１
2015192979.tif 000002
【特許請求の範囲】
【請求項１】
被処理水と、温度感応性薬剤を水に溶解した誘引溶液を半透膜を介して接触させ、前記被処理水中の水を前記半透膜を通して前記誘引溶液に移動させ、水で希釈された希釈誘引溶液と膜濃縮水を得る順浸透膜処理装置と、前記順浸透膜処理装置から流出する希釈誘引溶液を前記誘引溶液の曇点以上の温度まで加温する第一の加温手段と、前記第一の加温手段で加温した希釈誘引溶液を、温度感応性薬剤濃度の高い下層液と温度感応性薬剤濃度の低い上層液とに相分離する相分離槽と、前記相分離槽から流出する下層液を前記誘引溶液の曇点以下の温度まで冷却する冷却手段と、前記相分離槽から流出する上層液を膜ろ過し、膜ろ過水を得る膜ろ過装置を有する水処理装置であって、前記相分離槽に第二の加温手段と傾斜板を設けたことを特徴とする水処理装置。
【請求項２】
前記相分離槽から流出する上層液中の微細な温度感応性薬剤を凝集、分離するコアレッサーを前記膜ろ過装置の前段に有することを特徴とする請求項１に記載の水処理装置。
【請求項３】
前記膜ろ過装置から流出する膜濃縮水を前記相分離槽へ循環する循環手段を有することを特徴とする請求項１または請求項２に記載の水処理装置。
【請求項４】
誘引溶液の曇点が３０℃〜８０℃の範囲にあることを特徴とする請求項１乃至請求項３のいずれか１項に記載の水処理装置。
【請求項５】
相分離槽から流出する下層液と前記希釈誘引溶液との熱交換手段を有することを特徴とする請求項１乃至請求項４のいずれか１項に記載の水処理装置。
【発明の詳細な説明】
【技術分野】
【０００１】
本発明は、海水、かん水などの被処理水から淡水を製造する水処理装置に関するものである。
【背景技術】
【０００２】
海水から半透膜を用いて淡水を製造する方法は種々知られているが、海水に浸透圧以上の圧力を加えて水を強制的に透過させる逆浸透法が主に開発されてきた。しかし、この方法は高圧に加圧する必要があるため、設備費および運転費にコストがかかるという問題点がある。そこで、半透膜を介して海水と海水より高濃度の塩溶液を接触させ、加圧せずとも浸透圧により海水中の水をこの塩溶液に移動させ、分離、回収することにより淡水を製造する方法が開発されている。（特許文献１、２）。
【０００３】
特許文献１の方法は、半透膜を介して海水と反対側にアンモニアと二酸化炭素を溶解して得られる塩溶液を流して、海水中の水を半透膜を通過させて該塩溶液に移動させ、得られた希釈塩溶液からイオン交換膜や蒸留塔等を用いてアンモニウムイオンと炭酸イオンを個別に分離して浄水を得るとともに、分離したアンモニウムイオンと炭酸イオンを該塩溶液に溶解して半透膜処理装置の元の部屋に戻す方法である。
【０００４】
特許文献２の方法は、曇点を有する温度感応性薬剤を溶質とした誘引溶液を用いており、図９に示すように、海水２１を順浸透システム３０に送って、そこで半透膜を介して誘引溶液２４と接触させて海水２１中の水を浸透圧により半透膜を透過させて誘引溶液２４へ移動させる。水が誘引溶液に移動して残った濃縮海水２２は順浸透システム３０から流出する。一方、海水中の水で希釈された希釈誘引溶液２５は加熱器を備えた沈殿システム３４に送られ、そこで相分離あるいは沈殿を生じた希釈誘引溶液はポンプ３７で加圧されてろ過システム３２に送られる。その際、溶質の曇点より低い温度の液２９を添加することができる。ろ過システム３２で濃縮された誘引溶液２４は順浸透システム３０に返送される。一方、ろ過された膜ろ過水２８は後処理部３３でさらに精製されて飲料水となる。曇点を有する温度感応性薬剤としてはポリエチレングリコールやポリプロピレングリコールが使用され、ろ過システムのろ材にはナノろ過膜や逆浸透膜が使用されている。
【先行技術文献】
【特許文献】
【０００５】
【特許文献１】特開２０１１−８３６６３号公報
【特許文献２】米国特許第８．０２１．５５３Ｂ２号明細書
【発明の概要】
【発明が解決しようとする課題】
【０００６】
特許文献１の方法では、誘引物質（例えば炭酸アンモニウム）の分離、回収を蒸発法で行うが、その際、アンモニアおよび同伴する水分の蒸発潜熱が多大で、膨大なエネルギーを要しコストも高い。さらに、蒸発設備サイズが極めて大きく、大量（例えば１０万ｍ３／日）の飲料水製造には不向きである。また、投入エネルギーが大きいため熱交換器のサイズも大きくなり、大量処理には不向きである。さらに、炭酸アンモニウムを用いる場合には半透膜からのバックフローによって膜濃縮水を介して環境中に漏洩する誘引物質が窒素を含むため、富栄養化の原因となる。
【０００７】
特許文献２の方法は、誘引溶液の温度感応性を利用して誘引物質の一部を凝集させることにより、膜ろ過エネルギーを低減させることができる。この方法においては、誘引物質を凝集させた希釈誘引溶液はそのままろ過システムに送って凝集物をろ過分離していた。ところが、曇点温度以上となって凝集した液滴は非常に微小であるため、ろ過分離に多大な時間とエネルギーを要していた。
【０００８】
本発明者は、この問題を解決する手段として、誘引物質を凝集させた希釈誘引溶液を、そのままろ過システムへ送るのではなく、一旦、相分離槽で温度感応性薬剤である誘引物質を主体とする下層液と水を主体とする上層液に分離して、下層液は曇点以下に冷却して誘引溶液として順浸透工程へ循環し、上層液のみをナノろ過膜等でろ過する方法を既に開発している。
【０００９】
そして、本発明者はさらに検討を進めて、加温工程で曇点以上の温度まで加温された希釈誘引溶液を相分離槽に供給しても、相分離槽において温度が下がって薬剤回収量が低下することを見出した。
【００１０】
本発明の目的は、曇点を有し加温すると凝集する温度感応性薬剤を誘引物質として用いた順浸透法による淡水の製造方法において、加温によって凝集した温度感応性薬剤をさらに効率よく分離できる方法を提供することにある。
【課題を解決するための手段】
【００１１】
本発明者は、上記課題を解決するべく、鋭意検討の結果、希釈誘引溶液の相分離を行う相分離槽に加温手段を設けて槽内の希釈誘引溶液を加温することによって、濃厚層である下層液の薬剤濃度をより高く、希薄層である上層液の薬剤濃度をより低くし、相分離槽での薬剤回収率の低下を防止することを可能とした。
【００１２】
しかしながら、槽内で加温すると、熱対流によって、凝集した薬剤液滴が浮上し、また、上層部の加温部で発生した微細な薬剤液滴も沈降する前に上層液として回収されてしまうことによる薬剤回収率の低下が見出された。そこで、相分離槽内に傾斜板を設置して、熱対流で上昇した薬剤液滴や上層部で発生した微細な薬剤液滴を合一させて大きな液滴として沈降させることによりこの問題を解決した。
【００１３】
すなわち、本発明は、被処理水と、温度感応性薬剤を水に溶解した誘引溶液を半透膜を介して接触させ、前記被処理水中の水を前記半透膜を通して前記誘引溶液に移動させ、水で希釈された希釈誘引溶液と膜濃縮水を得る順浸透膜処理装置と、前記順浸透膜処理装置から流出する希釈誘引溶液を前記誘引溶液の曇点以上の温度まで加温する第一の加温手段と、前記第一の加温手段で加温した希釈誘引溶液を、温度感応性薬剤濃度の高い下層液と温度感応性薬剤濃度の低い上層液とに相分離する相分離槽と、前記相分離槽から流出する下層液を前記誘引溶液の曇点以下の温度まで冷却する冷却手段と、前記相分離槽から流出する上層液を膜ろ過し、膜ろ過水を得る膜ろ過装置を有する水処理装置であって、前記相分離槽に第二の加温手段と傾斜板を設けたことを特徴とする水処理装置を提供するものである。
【発明の効果】
【００１４】
本発明により、曇点を有する温度感応性薬剤を用いた順浸透法による水処理装置において、相分離した温度感応性薬剤の希薄層である上層液から温度感応性薬剤を効率よく分離し、膜ろ過装置におけるろ過負担を大幅に軽減することができる。
【図面の簡単な説明】
【００１５】
【図１】本発明の一実施態様を模式的に示すブロック図である。
【図２】相分離槽の一例の側面断面図である。
【図３】図２のＡ−Ａ´から下方を見た図である。
【図４】図２のＢ−Ｂ´から下方を見た図である。
【図５】図２のＣ−Ｃ´とＤ−Ｄ´から右方を見た図である。
【図６】本発明の別の実施態様を模式的に示すブロック図である。
【図７】コアレッサーの一例の概略縦断面図である。
【図８】曇点温度と薬剤濃度の関係を示した曲線である。
【図９】公知の水処理方法の概略を示すブロック図である。
【発明を実施するための形態】
【００１６】
図１に本発明の一実施態様を模式的に示す。
【００１７】
本発明の装置で処理される被処理水は水を溶媒とする溶液であり、海水、かん水などである。かん水は、シェールガス、オイルサンド、ＣＢＭ（炭層メタン）、石油等を採掘する坑井からの随伴水も含まれる。
【００１８】
随伴水は、坑井からの採掘目的物に同伴して排出される水であり、塩分、有機物、懸濁物などを含んでいる。汚濁物質の濃度としては、例えば蒸発残留物（主にNa+、K+、Ca2+、Cl-、SO42-など）が1,000〜100,000mg/L、有機物（油分や添加した薬剤など）がTOCとして10〜1,000mg/L、懸濁物質が100〜10,000mg/Lといった範囲で含有される。
【００１９】
油分と随伴水の分離手段は問わないが、例えば沈降などで油水分離が行われている。
【００２０】
図１に示していないが、被処理水を必要によりまずろ過処理する。このろ過処理は、例えば、精密ろ過膜を用いたろ過器で行い、ろ過膜は、精密ろ過膜として使用されている通常の膜を使用することができる。例えば、酢酸セルロース、ポリテトラフルオロエチレン、ポリスルホン、ポリ塩化ビニルなどの他、セラミック製の膜や多孔質ガラス製の膜なども利用できる。精密膜ろ過処理では、精密ろ過膜を通過した膜ろ過水と、膜を通過しないで残った膜濃縮水が得られる。
精密膜ろ過のほか、限外膜ろ過、砂ろ過等のろ過処理を用いることができる。限外膜ろ過の材質は精密膜ろ過と同様のものが用いられる。
【００２１】
順浸透膜処理装置
順浸透膜処理装置は、ろ過処理した被処理水と、温度感応性薬剤を水に溶解した高浸透圧の誘引溶液を半透膜を介して接触させ、前記被処理水中の水を前記半透膜を通して前記誘引溶液に移動させ、水で希釈された希釈誘引溶液と膜濃縮水を得る装置である。
【００２２】
半透膜は水を選択的に透過できるものがよく、順浸透（Forward  Osmosis）膜が好ましいが、逆浸透膜も使用できる。材質は特に制限されないが、例示すれば、酢酸セルロース系、ポリアミド系、ポリエチレンイミン系、ポリスルホン系、ポリベンゾイミダゾール系のものなどを挙げることができる。半透膜の形態も特に制限されず、平膜、管状膜、中空糸などいずれであってもよい。
【００２３】
この半透膜を装着する順浸透膜処理装置は通常は円筒形あるいは箱形の容器内に半透膜を設置して、この半透膜で仕切られた一方の室に被処理水を流し、他方の室に誘引溶液を流せるものであり、公知の半透膜装置を用いることができ、市販品を用いることができる。
【００２４】
温度感応性薬剤は、低温では親水性で水によく溶けるが、ある温度以上になると疎水性化し溶解度が低下する物質であり、水溶性〜水不溶性に変化する温度が曇点と呼ばれる。この温度に達すると疎水性化した温度感応性薬剤が析出して白濁が起こる。
【００２５】
この温度感応性薬剤は、各種界面活性剤、分散剤、乳化剤などとして利用されており、例示すれば、アルコールまたは脂肪酸とエチレンオキサイドの化合物、アルコールまたは脂肪酸とプロピレンオキサイドの化合物、アクリルアミドとアルキル基の化合物、エチレングリコール脂肪酸エステル、グリセリン脂肪酸エステル、ソルビタン脂肪酸エステルエチレンオキサイド付加物、アミノ酸およびその誘導体などであり、好ましくは、ポリエチレングリコールとポリプロピレン／ポリブチレングリコールのブロック共重合体、グリセロールエトキシレートブトキシレート、トリメチロールプロパンエトキシブトキシレート等である。本発明において使用する温度感応性薬剤としては、曇点が３０℃〜８０℃の範囲、特に４０℃〜６０℃の範囲のものが好ましい。そのために、ＨＬＢ値が１０以上の非イオン性界面活性剤とそれよりＨＬＢ値が低い非イオン性界面活性剤、脂肪酸あるいはアルコールを組み合わせて曇点を上記の範囲に調節することができる。
【００２６】
誘引溶液の濃度は、誘引溶液の浸透圧が、被処理液の浸透圧より十分高くなるように調整しなければならない。
【００２７】
この誘引溶液には、凝集用固体粒子を添加することもできる。凝集用固体粒子としては、ベントナイト、カオリン、活性炭粉末等が使用でき、無機吸着剤がより望ましい。粒径としては、平均粒径で０．１〜１０μｍ程度のものが望ましい。固体粒子の添加量は、温度感応性薬剤に対する重量比で０．１〜１０％程度が適当である。ただし、これらは温度感応性薬剤と固体粒子との親和性を勘案して決定することが望ましい。
【００２８】
順浸透膜処理装置で被処理水を半透膜を介して誘引溶液と接触させると浸透圧の差によって被処理水中の水が半透膜を通って誘引溶液に移動する。
【００２９】
第一の加温手段
順浸透膜処理装置から流出する希釈誘引溶液を曇点以上の温度まで加温して、温度感応性薬剤の少なくとも一部を液滴として凝集させる手段である。この凝集液滴は、温度感応性薬剤の濃厚溶液が相分離したものである。
【００３０】
加温手段は所定の温度まで加熱できればよく、電気ヒーター、熱交換器など如何なるものでも用いることができる。
【００３１】
この加温手段の熱源には、次の相分離槽で分離された下層液の顕熱を使用することが好ましい。
相分離槽
相分離槽は、前記第一の加温手段で加温した希釈誘引溶液を、温度感応性薬剤濃度の高い下層液と温度感応性薬剤濃度の低い上層液に相分離する槽である。この相分離は曇点以上の液温で相分離槽内で静置することによって行うことができる。その際、前記第一の加温手段で凝集した温度感応性薬剤の濃厚溶液は、凝集用固体粒子があるとそれを核として微細な液滴の状態になる。そして、この状態で相分離槽に投入されると、濃厚溶液の微細液滴は速やかに沈降し、液滴同士が合一して下に濃厚層が形成される。凝集用固体粒子のほとんどは濃厚層に集まるが、極く一部は上の希薄層に残る。この分層に要する時間は、凝集用固体粒子が存在しない場合は２〜４時間位かかるが、これを存在させることにより、０．５〜１．０時間程度（約４分の１程）に短縮させることができる。
【００３２】
ところで、本発明者は、この相分離槽に第二の加温手段を設けて槽内の希釈誘引溶液を加温することによって濃厚層である下層液の薬剤濃度をより高く、希薄層である上層液の薬剤濃度をより低くすることができるが、槽内の加温による熱対流で凝集した薬剤液滴が浮上し、また上層部の加温部で発生した薬剤液滴も沈降する前に上層液として分離されてしまうことを見出した。そして、相分離槽内に傾斜板を設けることにより、熱対流で上昇した薬剤液滴や上層部で発生した微細な薬剤液滴を合体させて大きな液滴にして沈降速度を早められることを見出した。
【００３３】
第二の加温手段は、相分離槽内の希釈誘引溶液の上層部および下層部の両方を加温できるよう配置される。加温手段は、電気ヒーター、熱交換器など如何なるものでも用いることができるが、上層部および下層部の希釈誘引溶液を均一に加熱できるよう、管状や板状のものをなるべく均等に配置するのがよい。加温能力は希釈誘引溶液を相分離槽の滞留時間において、1〜5℃程度、好ましくは2〜4℃程度上昇させられればよい。
【００３４】
傾斜板は、熱対流によって上昇してきた下層液中の微細液滴や加温によって発生した上層液中の微細液滴を板に付着して合体させて大粒化し、沈降させるものであり、原則として上層液の上部、液面近傍に設ける。板は、通常は、複数枚、２〜20枚程度、好ましくは4〜10枚程度を平行に設ければよく、上からの投影面積で、液面の50％以上、好ましくは100％以上を覆うように設置する。傾斜角度は、上層液の流出方向と同じ方向に傾けるのがよく、角度は0〜90°程度、好ましくは15〜45°程度でよい。
【００３５】
冷却手段
前記相分離槽で分離された下層液は、これを前記誘引溶液の曇点より低い温度に冷却することで温度感応性薬剤を水に溶解させて誘引溶液に再生する。この温度は広い範囲で採用可能であるが、経済性を考慮すると常温かそれより高い温度が好ましい。この冷却熱源としては、被処理水あるいは順浸透膜処理装置において得られた希釈誘引溶液を用いることがエネルギーの効率利用の点で好ましい。この冷却が不充分な場合には、順浸透膜処理装置で被処理水から移動してくる水によって濃度が下がるので曇点を発現して相分離し、浸透圧が低下してしまう。
【００３６】
再生した誘引溶液はそのまま循環使用できる。
【００３７】
コアレッサー
本発明においては、前述のように、相分離槽に第二の加温手段と傾斜板を設けることによって分離効率を高めることができる。しかしながら、相分離槽で分離された上層液には温度感応性薬剤が1〜5重量％、通常2〜3重量％程度含まれており、これが膜ろ過装置におけるろ過負担をかなり大きくしているので、上層液を膜ろ過装置に送る前に温度感応性薬剤を低減しておくことが好ましい。ところが、上層液に含まれている温度感応性薬剤は極めて微細な粒子であるため、その分離が容易ではない。本発明者は、分離手段を種々検討した結果、コアレッサーを用いることによって極めて効率よく分離できることを見出した。コアレッサーとは、疎水性の液滴を含む水溶液がフィルターを通過する際に、疎水性の液滴をろ過媒体に付着させ絡ませて、強制的に合一させて粗大化して分離するもので、この分離は通常比重分離で行うことができる。ろ過媒体は、フッ素樹脂、その他の各種樹脂、アルミナ繊維、ガラス繊維等で形成され、特表２０００−５０８５８１号公報、特開２０１２−２００６８２号公報などの特許出願がある。また、「フェーズセップＨＥシリーズ」（日本ポール株式会社、ポールインダストリアルカンパニー）、「ユーテック」（旭化成せんい株式会社）などの商品名で市販されている。
【００３８】
コアレッサーは、本体であるカートリッジを槽内に収容したものであり、縦型のものと横型のものがある。いずれも、分離しようとする液体の入口側を仕切ってカートリッジ内に流入させ、カートリッジを通過した液はその際に成長した疎水性の液滴を槽内で水相と比重分離して、一方を上部から他方を下部から抜き出す構造になっている。縦型のコアレッサーの一例を図７に示す。このコアレッサーは、円筒型のタンク１７１の底部を仕切る底板１７２が設けられ、その中央の通路から上方にコアレッサーの本体であるカートリッジ１７３が垂直に設けられている。そして、底板１７２の直ぐ上には温度感応性薬剤の抜出口１７４が、タンク１７１の上部には温度感応性薬剤が除去された上層液の抜出口１７５が設けられている。温度感応性薬剤を含む上層液６はタンク１７１の底部入口１７６から入ってカートリッジ１７３を通過し、その際温度感応性薬剤の液滴はろ過媒に付着して絡みつき、液滴が合一して粗大化し、タンク室内に放出される。放出された温度感応性薬剤の液滴は沈降してさらに合一され、タンク室下部の温度感応性薬剤抜出口１７４から取り出される。一方、温度感応性薬剤の液滴が捕集されて分離された上層液はタンク上部の上層液抜出口１７５から流出する。
【００３９】
このコアレッサー処理により、上層液に含まれている温度感応性薬剤は50〜80％程度除去され、その濃度は2重量％未満になる。
【００４０】
また、滞留時間が０．５〜１．０時間程度である相分離槽を小型化（滞留時間10分〜20分）した場合，相分離槽の表面負荷より液滴の沈降速度が小さいものが増加するため、上層液の温度感応性薬剤濃度は5〜7重量％と高濃度になる。これをコアレッサー処理することで、上層液濃度は2重量％未満となった。このように、コアレッサー処理の導入によって、相分離槽の小型化が可能である。
【００４１】
膜ろ過装置
一方、前記相分離槽で分離されあるいはコアレッサーでさらに温度感応性薬剤を除去された上層液は、ナノろ過膜や逆浸透膜などで膜ろ過して、そこに残存している温度感応性薬剤や凝集用固体粒子を除去する。膜ろ過水は淡水であり、飲料水などに利用できる。膜ろ過されないで残った膜濃縮水は、温度感応性薬剤や凝集用固体粒子が含まれているので、相分離槽に循環するのがよい。あるいは、濃縮して誘引溶液として順浸透膜処理装置に直接返送することもできる。
【００４２】
一方、順浸透膜処理装置で得られた膜濃縮水は塩分を高濃度で含んでいるので、これを濃縮して塩分を析出させて分離し、有効利用することができる。
【００４３】
本発明の装置の一例を図１に模式化して示す。同図に示すように、海水等の被処理水１は順浸透膜処理装置１０に送入され、半透膜３を通して水が反対側の室に透過されて残った膜濃縮水２が排出される。順浸透膜処理装置１０の反対側の室には誘引溶液４が流入しており、そこで半透膜３を介して被処理水１と向流接触して被処理水１から移行した水で希釈されて順浸透膜処理装置１０を出る。順浸透膜処理装置１０を出た希釈誘引溶液５は、熱交換器１６で相分離された下層液７と熱交換して加温され、加熱器１４でさらに加温されて相分離槽１１に入る。
【００４４】
相分離槽１１は、図１の右上に模式的に示すように、内部にヒーター１１１と傾斜板１１２が設置されている。ヒーター１１１は相分離槽１１内の上層液と下層液の両方を加熱できるように配置されており、傾斜板１１２は上層液の流出方向と同じ方向に傾けて配置されている。
【００４５】
相分離槽１１で分離された上層液６は膜ろ過装置１２でろ過され、得られた膜ろ過水８は活性炭等の後処理装置１３でさらに精製されて精製水を得る。膜ろ過装置１２でろ過されなかった膜濃縮水９は相分離槽１１に返送されて希釈誘引溶液とともに相分離される。
【００４６】
一方、相分離槽１１で分離された下層液７は、熱交換器１６を経て冷却器１５で冷却されて、誘引溶液４として順浸透膜処理装置１０に返送される。
【００４７】
本発明の装置の別の例を図６に示す。この装置は、相分離層１１の上層液６の出口と膜ろ過装置１２の間にコアレッサー１７を設けた外は、図１の装置と同じである。コアレッサー１７で温度感応性薬剤が分離された上層液は膜ろ過装置１２に送られ、コアレッサー１７で分離された温度感応性薬剤は相分離槽１１へ返送される。
【実施例】
【００４８】
図１に示す装置を用いた。順浸透膜処理装置１０の半透膜には酢酸セルロース製順浸透膜を、膜ろ過装置１２にはナノろ過膜をそれぞれ使用した。
【００４９】
相分離槽１１には、図２〜図５に示すものを用いた。この槽は箱型で、大きさは縦５５０ｍｍ、横１０００ｍｍ、深さ７００ｍｍである。図２の左側には、希釈誘引溶液流入管が設けられ、それより槽の内部側には投入された希釈誘引溶液が槽の底部から横方向に広がって槽の内部へ進入するよう整流板が槽の左壁に平行に垂直に設けられている。整流板より内側には管状のヒーターが図２と図４に示すように蛇行して４段に設けられ、その上には、４枚の傾斜板が図面右側に垂直から30°に傾けて設けられている。各傾斜板は上からの投影面積で幅１３０ｍｍ長さ５５０ｍｍ傾斜板の間隔２０ｍｍである。ヒーター部には温度計が設けられている。槽の図面右側の下部には濃厚層である下層液の取出口が、上部には越流堰が設けられ、そこを越流してきた希薄層である上層液の取出口が越流堰内に設けられている。
【００５０】
誘引溶液には、ポリグリセリンモノラウレートとソルビタンモノカプリレートの混合物に、水を加えて薬剤濃度９０重量％とした溶液を用いた。この溶液の曇点は６０℃であった。
【００５１】
この曇点温度は薬剤濃度によって変わる。上記薬剤の濃度と曇点の関係を調べた結果を図８に示す。
【００５２】
上記誘引溶液に平均粒径１μｍのベントナイトを上記の温度感応性薬剤に対し１重量％を加えて懸濁させた。
【００５３】
UF膜により前処理した海水を被処理水１として順浸透膜処理装置１０に３Ｌ／分の流速で流入させた。膜透過水の量は１．５Ｌ／分であり、順浸透膜処理装置１０から流出する希釈誘引溶液５の量は３．８Ｌ／分であった。この希釈誘引溶液５は熱交換器１６を経て加熱器１４で６０℃に加温し、相分離槽１１に流入させた。相分離槽でさらに加温し、７０℃とすることで、より多くの薬剤が液滴化した。上層部で発生した液滴や熱対流によって上昇した薬剤液滴が、傾斜板により凝集し、効果的に分離した結果、温度感応性薬剤濃度が、希薄上層液は２〜３重量％、濃厚下層液は９０〜９３重量％と、６０℃での相分離で想定される希薄上層液濃度（５重量％）より低く、濃厚下層液濃度（９０重量％）より高くすることができた。
【００５４】
得られた下層液７は熱交換器１６を経て冷却器１５で４０℃に冷却し、再び順浸透膜処理装置１０に流入させた。上層液６は膜ろ過装置１２に導入し、膜ろ過水８と膜濃縮水９に分離した。膜濃縮水９は再び相分離槽１１へ流入させた。膜ろ過水８は後処理装置１３を経て１．５Ｌ／分の淡水を獲た。この淡水は飲料水として使用可能であった。
【００５５】
一方、相分離槽で追加の加温を行わなかった場合は、相分離槽で液温が低下し、温度感応性薬剤濃度が、希薄上層液は５〜７重量％と高くなり、濃厚下層液は８５〜９０重量％と低くなった。
【産業上の利用可能性】
【００５６】
本発明の方法は、海水から淡水の製造や、坑井からの随伴水の処理などに広く利用できる。
【符号の説明】
【００５７】
１  被処理水
２  膜濃縮水
３  半透膜
４  誘引溶液
５  希釈誘引溶液
６  上層液
７  下層液
８  膜ろ過水
９  膜濃縮水
１０  順浸透膜処理装置
１１  相分離槽
１１１  ヒーター（第二の加温手段）
１１２  傾斜板
１２  膜ろ過装置
１３  後処理装置
１４  加熱器（第一の加温手段）
１５  冷却器（冷却手段）
１６  熱交換器（冷却手段）
１７  コアレッサー
１７１  タンク
１７２  底板
１７３  カートリッジ
１７４  温度感応性薬剤抜出口
１７５  上層液抜出口
１７６  上層液入口
【図１】
2015192979.tif 000003
【図２】
2015192979.tif 000004
【図３】
2015192979.tif 000005
【図４】
2015192979.tif 000006
【図５】
2015192979.tif 000007
【図６】
2015192979.tif 000008
【図７】
2015192979.tif 000009
【図８】
2015192979.tif 000010
【図９】
2015192979.tif 000011